(57)【要約】【課題】吸入又は吐出する際の圧力損失を低減することができるろ過器具を提供すること。【解決手段】ろ過器具１１の両端には、先端開口部を有し注射針を接続可能なオス型接続部１３と、注射筒を接続可能なメス型接続部１４とが形成されている。本体部１２の内部に形成された収容空間２０には、該収容空間２０をオス型接続部１３側とメス型接続部１４側とに区画するように、中央に通液孔２１を有するフィルタＦ１が固定されている。また、通液孔２１には、可動体２５が挿通されており、注射筒により液体を吸入する場合、可動体２５は、許容位置に移動して通液孔２１を液体が通過することを許容する一方、液体を吐出する場合、可動体２５は、閉塞位置に移動して通液孔２１を閉塞させ、液体がフィルタＦ１を通過するように通路を切り替えるようになっている。【選択図】図４
2009273515.tif 000002
【特許請求の範囲】
【請求項１】
液体が吸入及び吐出される開口部を有するハウジング内部に、前記開口部から吸入された液体を前記開口部から吐出する際に異物を除去するフィルタを配置したろ過器具において、
前記ハウジング内部には、前記液体の吸入時に前記液体が通過する吸入通路と、前記フィルタが配置され前記液体の吐出時に前記液体が前記フィルタによりろ過されながら通過する吐出通路と、前記吸入時と前記吐出時において前記液体が通過する通路を切り替える切替手段と、を備え、
前記吸入通路及び前記吐出通路のうち何れか一方を他方の通路の外側を囲むように配置し、前記他方の通路の内側に一方の通路を配置したろ過器具。
【請求項２】
前記切替手段は、前記吸入時には、前記吸入通路を前記液体が通過することを許容する許容状態とし、前記吐出時には、前記切替手段に形成された受圧面により前記液体の液圧を受けて移動し、前記液体が前記吸入通路を通過しないように前記吸入通路を閉塞させる請求項１に記載のろ過器具。
【請求項３】
前記フィルタは、前記ハウジング内部の前記開口部側と反対側とを区画するように配置されており、
前記吸入通路は、前記フィルタに形成された通液孔を含み、
前記吐出通路は、前記通液孔の周囲に配設され前記吐出時に前記液体が通過可能な前記フィルタを含み、
前記切替手段は、前記吸入時には、前記通液孔を開放して前記許容状態とする許容位置に位置し、前記吐出時には、前記通液孔を閉塞する閉塞位置に移動可能な可動体である請求項２に記載のろ過器具。
【請求項４】
前記吸入通路は、前記ハウジング内部の内壁面と離間する位置にある前記フィルタと前記内壁面との間に形成される通液路を含み、
前記吐出通路は、前記吐出時に前記液体が通過可能であり、且つ前記内壁面と接触する位置にある前記フィルタを含み、
前記切替手段は、前記通液路を形成して前記許容状態とする許容位置と、前記内壁面と接触して前記通液路を閉塞する閉塞位置との間で移動可能な前記フィルタである請求項２に記載のろ過器具。
【発明の詳細な説明】
【技術分野】
【０００１】
本発明は、吸入した液体を吐出する際にろ過するろ過器具に関する。
【背景技術】
【０００２】
従来から、アンプルなどに封入され凍結乾燥された薬剤を生理食塩水などの液体に溶解し、注射針を装着した注射筒に吸入した後に患者に投与したり、輸液用バック内に注入して輸液用バック内の薬剤と混合したりすることが行われている。アンプル内の薬剤を液体で溶解させる場合、薬剤に既に異物が混入されていたり、ガラス製のアンプルを開封器具で開封する際に微細なガラス片が薬剤に混入されたりする。これら異物を含んだ薬液を、注射針を取り替えることなく注射筒に吸入し、且つろ過できるフィルタ付き注射針が提案されている（例えば、特許文献１，２）。特許文献１では、薬液の吸入通路と薬液をろ過する吐出通路とが別個に形成されている。特許文献２では、弾性部材とフィルタとを重ねて配置し、薬液の吸入時には支持部を起点に撓んで流入通路を形成するとともに、吐出時にはフィルタで薬液をろ過するように構成されている。
【特許文献１】実用新案登録第３１１８２１９号
【特許文献２】実用新案登録第３１１９８５９号
【発明の開示】
【発明が解決しようとする課題】
【０００３】
しかしながら、特許文献１では、ハウジングの内部を２つの通路に区画しており、薬液の吸入時及び吐出時でそれぞれ半分ずつしか容積を利用することができない。また、特許文献２では、フィルタの中央部分に支持部が接触する構造のため、ハウジングの中央部分から薬液の吸入やろ過（吐出）を行うことができない。このため、特許文献１，２では、吸入時及び吐出時において圧力損失が増加し、吸入や吐出に必要な圧力が増加する問題があった。
【０００４】
本発明は、このような従来の技術に存在する問題点に着目してなされたものであり、その目的は、吸入又は吐出する際の圧力損失を低減することができるろ過器具を提供することにある。
【課題を解決するための手段】
【０００５】
上記問題点を解決するために、請求項１に記載の発明は、液体が吸入及び吐出される開口部を有するハウジング内部に、前記開口部から吸入された液体を前記開口部から吐出する際に異物を除去するフィルタを配置したろ過器具において、前記ハウジング内部には、前記液体の吸入時に前記液体が通過する吸入通路と、前記フィルタが配置され前記液体の吐出時に前記液体が前記フィルタによりろ過されながら通過する吐出通路と、前記吸入時と前記吐出時において前記液体が通過する通路を切り替える切替手段と、を備え、前記吸入通路及び前記吐出通路のうち何れか一方を他方の通路の外側を囲むように配置し、前記他方の通路の内側に一方の通路を配置したことを要旨とした。
【０００６】
これによれば、例えば、ハウジングに注射筒や液体搬送装置を接続して液体の吸入又は吐出の何れか一方の動作をする際に、一方の通路により囲まれるように配置された他方（内側）の通路を液体が通過するようになっている。一般に、ハウジング内部を液体に通過させる場合、該液体が通過する位置が中央部分から離れる程圧力損失が大きくなり、液体の吸入や吐出に必要な圧力が増加することが知られている。このため、液体の吸入及び吐出の何れか一方の動作をさせる際の圧力損失を低減することができる。また、ろ過器具を注射筒等から取外さなくても、異物を含んだ液体をろ過しない状態で注射筒等の内部に吸入させ、且つフィルタでろ過しながら吐出させることができる。
【０００７】
請求項２に記載の発明は、請求項１に記載のろ過器具において、前記切替手段は、前記吸入時には、前記吸入通路を前記液体が通過することを許容する許容状態とし、前記吐出時には、前記切替手段に形成された受圧面により前記液体の液圧を受けて移動し、前記液体が前記吸入通路を通過しないように前記吸入通路を閉塞させることを要旨とした。
【０００８】
これによれば、吸入時には、液体が吸入通路を通過する一方、吐出時には、液体の液圧により切替手段が吸入通路を閉塞させ、液体が通過する通路が吐出通路に切り替えられる。このため、吸入時と吐出時において通路を切り替えるように切替手段を操作する操作機構を別途設ける必要がない。
【０００９】
請求項３に記載の発明は、請求項２に記載のろ過器具において、前記フィルタは、前記ハウジング内部の前記開口部側と反対側とを区画するように配置されており、前記吸入通路は、前記フィルタに形成された通液孔を含み、前記吐出通路は、前記通液孔の周囲に配設され前記吐出時に前記液体が通過可能な前記フィルタを含み、前記切替手段は、前記吸入時には、前記通液孔を開放する許容位置に位置して前記許容状態とし、前記吐出時には、前記通液孔を閉塞する位置に移動可能な可動体であることを要旨とした。
【００１０】
これによれば、吸入時には、液体がフィルタに形成された通液孔を通過する一方、吐出時には、通液孔が可動体により閉塞されるため、通液孔の周囲に配設されたフィルタを液体が通過する。このため、吸入時における圧力損失を低減することができる。
【００１１】
請求項４に記載の発明は、請求項２に記載のろ過器具において、前記吸入通路は、前記ハウジング内部の内壁面と離間する位置にある前記フィルタと前記内壁面との間に形成される通液路を含み、前記吐出通路は、前記吐出時に前記液体が通過可能であり、且つ前記内壁面と接触する位置にある前記フィルタを含み、前記切替手段は、前記通液路を形成して前記許容状態とする許容位置と、前記内壁面と接触して前記通液路を閉塞する閉塞位置との間で移動可能な前記フィルタであることを要旨とした。
【００１２】
これによれば、吸入時には、液体がフィルタ周囲に形成される通液路を通過する一方、吐出時には、フィルタにより通液路が閉塞されるため、通液路の内側に位置するフィルタを液体が通過する。このため、吐出時における圧力損失を低減することができる。
【発明の効果】
【００１３】
本発明によれば、吸入又は吐出する際の圧力損失を低減することができる。
【発明を実施するための最良の形態】
【００１４】
（第１実施形態）
以下、本発明を具体化した第１実施形態を図１〜図４にしたがって説明する。
図１に示すように、本実施形態のろ過器具１１は、略円環状に形成した本体部１２に、該本体部１２の対向する両面からそれぞれ略円筒状のオス型接続部１３、及びメス型接続部１４がそれぞれ突出形成されてハウジング１１ａが形成されている。ろ過器具１１の全体は、プラスチック材料（例えば、ポリプロピレン、ポリエチレン、ポリカーボネート、アクリル樹脂など）により形成されている。なお、ろ過器具１１は、所定の滅菌バッグに封入して滅菌処理（例えば、ＥＯＧ滅菌、高圧蒸気滅菌、放射線滅菌など）を施されてもよい。
【００１５】
まず、ハウジング１１ａを構成し、オス型接続部１３を有するオス側部材１５について説明する。オス側部材１５は、オス型接続部１３と、オス型接続部１３の基端部に対し連設された略円環状の蓋部１６とから構成されている。オス型接続部１３の外周面は、所定の接続規格（例えば、ＪＩＳ，ＩＳＯ）を満足するように基端部から先端部に向けて縮径されるテーパ構造となっているとともに、図示しない注射針が接続可能となっている。図２（ａ）に示すように、蓋部１６においてオス型接続部１３が配設された面とは反対側の底面１５ｄには、複数（例えば、１２本）の支持リブ部１５ｃが、蓋部１６の内周面から中心に向かって放射状に配設されている。支持リブ部１５ｃは、蓋部１６の内周を円周方向に均等に分割するように配置されている。また、図１に示すように、底面１５ｄの中心には、該底面１５ｄとオス型接続部１３の先端面とを連通する断面視円形の通液路１５ａが開口している。同様に、オス型接続部１３の先端面には、通液路１５ａの先端開口部Ｋが形成されている。また、通液路１５ａには、蓋部１６の底面１５ｄ側の開口位置からオス型接続部１３側へ向けて所定の長さだけ、通液路１５ａの直径が変化しないストレート部１５ｂが設けられている。
【００１６】
次に、メス型接続部１４を有し、オス側部材１５とともにハウジング１１ａを構成するメス側部材１７について説明する。メス側部材１７は、メス型接続部１４と、メス型接続部１４の基端部に連設された略円環状の底板部１８と、該底板部１８の周縁部からメス型接続部１４とは反対側へ延設された側壁部１９とから構成されている。略円筒状のメス型接続部１４の内周面は、所定の接続規格（例えば、ＪＩＳ，ＩＳＯ）を満足するように基端部から先端部に向けて拡径されるテーパ構造となっており、図示しない注射筒（シリンジ）が接続可能となっている。なお、メス型接続部１４の先端部のロック構造は省略されている。また、底板部１８においてメス型接続部１４が配設された面とは反対側の面には、平滑な挟持部１８ａが側壁部１９と隣接し、且つ底板部１８と同心円状に形成されている。底板部１８の中央には、挟持部１８ａとメス型接続部１４の先端面とを連通する断面視略円形の通液路１８ｂが開口している。なお、メス型接続部１４の内周面は、通液路１８ｂの一部をなしている。
【００１７】
底板部１８の内周面には、挟持部１８ａ側の開口からメス型接続部１４側に向かって延びる複数（例えば、３本）の摺動リブ部１８ｃが、通液路１８ｂの中心に向かって突出形成されている。摺動リブ部１８ｃは、通液路１８ｂの周方向を均等に分割するように配置されている。摺動リブ部１８ｃ同士の間には、液体が通過するリブ間通路１８ｅが形成されている。また、摺動リブ部１８ｃのメス型接続部１４側の端部には、摺動リブ部１８ｃと側面視で一致する位置から底板部１８の中心に向かって支持部１８ｄが突出形成されている。
【００１８】
本実施形態のろ過器具１１は、オス側部材１５の蓋部１６と、メス側部材１７の側壁部１９とを側面視で整合一致させた状態で、超音波により溶着してハウジング１１ａが形成されている。そして、ハウジング１１ａの内部には、オス側部材１５、メス側部材１７の底板部１８（挟持部１８ａ）、及び側壁部１９とから、フィルタＦ１が収容される収容空間２０が形成されている。
【００１９】
図４に示すように、フィルタＦ１は、側面視円形の円環状に形成された多孔質体（例えば、ポリプロピレン、ポリエチレン、ポリテトラフルオロエチレンなど）により形成されている。また、フィルタＦ１の側面視略中央には、フィルタＦ１の両面を貫通する円形の通液孔２１が形成されている。通液孔２１の内周面には、通液孔２１からフィルタＦ１、及びフィルタＦ１から通液孔２１への双方向に液体を通過させないフィルム層２１ａが形成されている。通液孔２１の直径は、オス側部材１５のストレート部１５ｂの内径と略同一とされている。フィルタＦ１は、オス側部材１５の支持リブ部１５ｃと、メス側部材１７の挟持部１８ａとで挟持され、収容空間２０内に固定されている。また、フィルタＦ１の外径は、メス側部材１７の側壁部１９の内径より僅かに大きく形成されており、フィルタＦ１を側壁部１９の内側に挿入（圧入）した状態でフィルタＦ１の外周面と側壁部１９の内周面とが密着するようになっている。すなわち、フィルタＦ１は、収容空間２０をオス型接続部１３（先端開口部Ｋ）側と、メス型接続部１４側とに区画するように固定されている。
【００２０】
フィルタＦ１の通液孔２１には、ろ過器具１１の内部を通過する液体によって通液孔２１内を摺動動作する可動体（切替手段）２５が挿通されている。図３に示すように、可動体２５は、略円盤状に形成された封止部２６と、該封止部２６から突出形成された円筒状の切替部２７とから構成されている。封止部２６の外径は、摺動リブ部１８ｃの内接円の直径より僅かに小さく形成されている。また、封止部２６の外径は、メス型接続部１４の基端部側の内径と対応する大きさに設定されている。また、封止部２６には、切替部２７側に向けて円錐状に突出する円錐部２６ａが設けられている。円錐部２６ａのオス型接続部１３側の面は、液体の液圧を受ける受圧面２６ｂとされている。また、円錐部２６ａのメス型接続部１４側の面は、すり鉢状の受圧面２６ｃが形成されている。切替部２７の基端部側面には、切替部２７の外側と内側とを連通するように一対の通液窓２７ａが対向するように形成されている。図４に示すように、切替部２７の外径は、フィルタＦ１の通液孔２１の直径、及びストレート部１５ｂの内径よりも僅かに小さく形成されている。
【００２１】
また、図４（ａ）に示すように、切替部２７の長さは、封止部２６が支持部１８ｄと接触する位置（以下、「許容位置」と示す）に可動体２５が位置したときに、切替部２７の先端側がフィルタＦ１の通液孔２１、及びストレート部１５ｂに挿入される（臨む）長さに設定されている。許容位置において、通液窓２７ａの一部は、フィルタＦ１からメス型接続部１４の内部空間内に露出するようになっている。なお、許容位置において、支持リブ部１５ｃにより形成されるフィルタＦ１と底面１５ｄの隙間は、切替部２７の通液窓２７ａが形成されていない部分により覆われ、通液路１５ａと連通されないようになっている。そして、許容位置において、可動体２５は、支持部１８ｄに当接してメス型接続部１４側への移動が規制されている。
【００２２】
また、図４（ｂ）に示すように、可動体２５は、可動体２５の封止部２６がフィルタＦ１の通液孔２１の開口端部に当接する位置（以下、「閉塞位置」と示す）に移動された場合、通液窓２７ａが通液孔２１に収容されメス型接続部１４側の内部空間内に露出しないようになっている。このため、閉塞位置において、可動体２５は、通液孔２１を閉塞させるようになっている。また、閉塞位置において、可動体２５の通液窓２７ａは、前述のフィルタＦ１と底面１５ｄの隙間と通液路１５ａとが連通されるように位置する。すなわち、切替部２７の突出方向に沿った通液窓２７ａの長さは、フィルタＦ１の厚さより支持リブ部１５ｃの高さ分だけ長く設定されている。そして、可動体２５は、ストレート部１５ｂ、通液孔２１、及び摺動リブ部１８ｃにより形成されるガイド機構により、許容位置と閉塞位置との間で、フィルタＦ１の通液孔２１（内周面）を摺動可能にガイドされる。また、以上のように構成されたろ過器具１１では、オス側部材１５、フィルタＦ１、可動体２５、及びメス側部材１７の中心が同一線上に位置するように形成されている。このため、可動体２５は、前記ガイド機構によりフィルタＦ１の中心線上を摺動するようにガイドされる。なお、以下の説明において可動体２５が許容位置側へ移動することを「後退」、閉塞位置側へ移動することを「前進」と示す場合がある。
【００２３】
次に、以上のように構成した第１実施形態のろ過器具１１について、その作用を図４に基づき説明する。なお、以下の説明においてオス型接続部１３には図示しない注射針が、メス型接続部１４には図示しない注射筒が接続されているものとする。
【００２４】
図４（ａ）に示すように、注射筒のプランジャの操作により注射針を介して先端開口部Ｋから通液路１５ａへ異物を含んだ液体（薬液）が吸入されると、可動体２５は、円錐部２６ａの表面が液体吸入時の液圧を受ける受圧面２６ｂとして作用することで、許容位置まで後退させられる。この状態において、オス型接続部１３（通液路１５ａ）から切替部２７の内側に流入された液体は、フィルタＦ１の内周面（通液孔２１）から露出された通液窓２７ａを通過するとともに、摺動リブ部１８ｃの間のリブ間通路１８ｅに流入される（矢印Ｙ１に示す）。さらに、リブ間通路１８ｅに流入した液体は、封止部２６の側方を抜けてメス型接続部１４の内部（通液路１８ｂ）を通るとともに、注射筒内に吸入される（矢印Ｙ２に示す）。この状態において、底面１５ｄとフィルタＦ１との隙間は切替部２７により覆われており、該隙間への異物を含んだ液体の流入が抑制されている。また、通液孔２１の内周面には液体を通さないフィルム層２１ａが形成されていることから、液体は、フィルタＦ１を通過しないで通液窓２７ａを通過するようになっている。この状態において、ろ過器具１１には、オス型接続部１３の先端開口部ＫからフィルタＦ１の中央（通液孔２１）を通過してメス型接続部１４の先端の開口部まで連通する吸入通路が形成される。すなわち、液体の吸入時において、ろ過器具１１には、フィルタＦ１を介さないで液体が通過する経路が形成される。
【００２５】
次に、図４（ｂ）に示すように、注射筒のプランジャの操作により、注射筒に吸入した液体がメス型接続部１４の内部（通液路１８ｂ）に押し出されると、可動体２５は、円錐部２６ａの表面が液体吐出時の液圧を受ける受圧面２６ｃとして作用することで、閉塞位置まで前進させられる。そして、フィルタＦ１の通液孔２１は、可動体２５により閉塞される。この状態において、通液路１８ｂに押し出された液体は、受圧面２６ｃにあたって分散するとともに、摺動リブ部１８ｃの間のリブ間通路１８ｅに流入される（矢印Ｙ３に示す）。そして、リブ間通路１８ｅに流入された液体は、フィルタＦ１を通過するとともにフィルタＦ１と底面１５ｄとの隙間から、フィルタＦ１のオス型接続部１３側に露出する通液窓２７ａを通過して切替部２７の内側へ流入し、さらにオス型接続部１３側の通液路１５ａへ流出される（矢印Ｙ４に示す）。そして、フィルタＦ１によりろ過されて異物が除去された液体が、オス型接続部１３の先端開口部Ｋ（注射針先端）から吐出（流出）される。この状態において、ろ過器具１１には、メス型接続部１４の先端の開口部から通液孔２１の周囲に配設されたフィルタＦ１を通過してオス型接続部１３の先端開口部Ｋまで連通する吐出通路が形成される。すなわち、吐出時において、ろ過器具１１には、フィルタＦ１により液体がろ過されつつ通過する経路が形成される。以上のように、本実施形態の可動体２５は、許容位置と閉塞位置との間で摺動（移動）することで、吸入時と吐出時において、液体が通過される通路を吸入通路と吐出通路との間で切り替えるようになっている。
【００２６】
したがって、本実施形態によれば、以下に示す効果を得ることができる。
（１）液体の吸入時において、液体は、フィルタＦ１の中央（内側）に形成された通液孔２１を通過する一方、液体の吐出時において、液体は、通液孔２１の周囲に配設されたフィルタＦ１を通過するようになっている。このため、注射筒で液体を吸入する際の圧力損失を低減することができる。
【００２７】
（２）可動体２５は、許容位置及び閉塞位置の間で摺動して液体が通過する通路を切り替えるようにした。このため、ろ過器具１１を注射筒から取外さなくても、異物を含んだ液体をろ過しない状態で注射筒内に吸入させ、且つフィルタＦ１でろ過しながらオス型接続部１３の先端開口部Ｋ（注射針先端）から吐出させることができる。
【００２８】
（３）液体の吸入時及び吐出時に液体の液圧を受ける受圧面２６ｂ，２６ｃを設けた。このため、吸入時において、可動体２５は、吸入される液体の液圧を受圧面２６ｂが受け、許容位置へ移動させられる。また、吐出時において、可動体２５は、注射筒から押し出される液体の液圧を受け、規制位置へ移動させられる。このため、収容空間２０を通過する液体の液圧によって可動体２５が移動し、吸入時と吐出時において、液体が通過する通路が切り替えられる。したがって、液体の吸入時と吐出時において、使用者が通路を切り替えるために操作する操作機構を別途設ける必要がない。
【００２９】
（４）可動体２５は、ストレート部１５ｂ、通液孔２１、及び摺動リブ部１８ｃにより形成されるガイド機構により、フィルタＦ１の通液孔２１（内周面）を摺動可能にガイドされる。このため、閉塞位置において、可動体２５が傾くことで封止部２６とフィルタＦ１の開口端部との間に隙間が生じてシール性が低下することを抑制することができる。すなわち、注射筒内に吸入された異物を含む液体が、フィルタＦ１でろ過されないまま、オス型接続部１３の先端開口部Ｋ（注射針先端）から吐出されることを抑制できる。
【００３０】
（５）底面１５ｄには、フィルタＦ１の支持リブ部１５ｃを設けた。このため、液体をろ過する場合において液体の液圧によりフィルタＦ１が底面１５ｄに密着することを抑制できる。一般に、本体部１２の収容空間２０の内壁面にフィルタＦ１が密着すると、該密着した部分では液体のろ過効率が著しく低下する。したがって、フィルタＦ１によるろ過の効率が低下することを抑制できる。
【００３１】
（６）許容位置では、可動体２５の切替部２７が底面１５ｄとフィルタＦ１との隙間を覆う一方、閉塞位置では、通液窓２７ａが該隙間に対応するように位置して切替部２７が隙間を覆わないようにした。このため、液体の吸入時には、底面１５ｄとフィルタＦ１との隙間に異物を含んだ液体が流入することを抑制できる一方、吐出時には、当該隙間から液体を切替部２７の内側へ通過させることができる。これにより、液体の吸入時に底面１５ｄとフィルタＦ１との隙間（支持リブ部１５ｃの間）に異物を含んだ液体が滞留することを抑制し、液体を吐出する際に行うパージに必要な液体の量を低減することができる。そして、オス型接続部１３から吐出されるろ過後の液体に、異物が再び混入されることを抑制することができる。また、オス型接続部１３側に配置されるフィルタＦ１の表面に、異物を含んだ液体が接触することを抑制することで、フィルタＦ１が異物で汚染されることを抑制することができる。
【００３２】
（７）封止部２６に円錐部２６ａを設けた。このため、液体を吸入する場合には、切替部２７の内側に流入された液体を通液窓２７ａから流出させるように、液体の流れを整流することができる。
【００３３】
（８）封止部２６の外径を通液路１８ｂの内径と略同一に形成するとともに、受圧面２６ｃを設けた。このため、注射筒で押し出された液体の液圧が周囲に逃げ難くなり、確実に可動体２５を閉塞位置へ前進させるとともに、フィルタＦ１と封止部２６とを密着させることができる。
【００３４】
（９）通液孔２１の内周面にフィルム層２１ａを形成した。このため、液体の吸入時において、液体が通液孔２１の内周面からフィルタＦ１に進入して摺動リブ部１８ｃの間へ抜けてしまうことにより、フィルタＦ１で液体をろ過してしまうことを防止するとともに、異物によるフィルタＦ１の汚染を抑制できる。そして、液体の吐出時において、フィルタＦ１のメス型接続部１４側の面からフィルタＦ１内に進入した液体は、通液孔２１の内周面から押し出されることなく、全て反対側（オス型接続部１３側）の面から押し出される。このため、液体がフィルタＦ１内を通過する距離が短くなることにより、ろ過効率が低下することが回避される。
（第２実施形態）
次に、本発明を具体化した第２実施形態について図５〜図８に基づき説明する。以下の説明では、既に説明した実施形態と同一構成について同一の符号を付すなどし、その重複する説明を省略及び簡略化する。
【００３５】
本実施形態の通液路１５ａには、オス型接続部１３の先端開口部Ｋから流入される液体が通液路１５ａの内壁面に沿って流れるように整流する整流部２８が形成されている。整流部２８は、オス型接続部１３の中心線上に配置される円柱状の円柱部２８ａと、該円柱部２８ａとオス型接続部１３の内周面とを連結して支持する複数（例えば、３本）の支持部２８ｂとから形成されている。支持部１８ｄは、通液路１５ａの周方向を均等に分割するように配置されている。また、蓋部１６には、底面１５ｄは設けられておらず、代わりに通液路１５ａの開口に連設され、該開口から拡径されるように形成されたテーパ部２９が設けられている。
【００３６】
また、メス側部材１７には、底板部１８は設けられておらず、メス型接続部１４の基端部に対し円環状に形成された側壁部１９が連設されている。また、側壁部１９の側面視中央には、円筒状に形成された保持部３０が配設されている。保持部３０には、メス型接続部１４側と収容空間２０側の両端面を貫通する通液路３０ａが形成されている。保持部３０は、該保持部３０と側壁部１９の内周面とを連結する複数の支持部３０ｂによって支持されている。支持部３０ｂは、側壁部１９の内周を円周方向に均等に分割するように配置されている。なお、保持部３０は、通液路１８ｂに対しても中央に位置するように配置されている。また、図６に示すように、保持部３０の外周面には、支持部３０ｂとの連結部分から収容空間２０側に向けて延びる複数（例えば、３つ）の保持リブ３０ｃが形成されている。
【００３７】
次に、本実施形態の収容空間２０に収容されるフィルタＦ２について説明する。本実施形態のフィルタＦ２は、プラスチック材料（例えば、ポリプロピレン、ポリエチレンなど）からなる多孔質の焼結体とされている。図７に示すように、フィルタＦ２は、先端を袋状に形成した袋状部３１と、該袋状部３１の開口端部から拡径してテーパ構造に形成したシール部３２と、該シール部３２の開口端部に連設した円筒状のスカート部３３とからなり、その全体が略有底円筒状に構成されている。シール部３２のテーパ角度は、オス側部材１５に形成されたテーパ部２９と対応した（平行となる）角度とされている。また、スカート部３３の内径は、オス側部材１５の保持部３０の外径と略同一に形成され、且つ保持リブ３０ｃの外接円の直径より僅かに小さい大きさとされている。このため、スカート部３３を保持部３０に挿入すると、保持リブ３０ｃにより僅かに圧入した状態となり、フィルタＦ２は、保持部３０に保持されるようになっている。なお、フィルタＦ２の保持部３０への圧入状態は、スカート部３３側から液圧が付与されることで、容易に解除されるようになっている。そして、フィルタＦ２は、保持部３０に保持された状態で、収容空間２０において平面視略中央に配置されるようになっている。また、スカート部３３の外径は、通液路１８ｂの内径と略同一に形成されている。そして、フィルタＦ２（スカート部３３）の開口部端面は、メス側部材１７から流入する液体の液圧を受ける受圧面３３ａとされている。
【００３８】
図８（ａ）に示すように、フィルタＦ２の長さは、スカート部３３が僅かに圧入されて保持部３０に保持される位置（許容位置）にある場合、袋状部３１が通液路１５ａ内に挿入される（臨む）長さに形成されている。許容位置において、フィルタＦ２は、通液路１５ａ、テーパ部２９、及び側壁部１９とから構成される収容空間２０の内壁面と離間して液体が通過する通液路３５が形成されるようになっている。なお、ろ過器具１１の使用前において、フィルタＦ２は、許容位置に配置されている。
【００３９】
また、図８（ｂ）に示すように、フィルタＦ２のスカート部３３の長さは、フィルタＦ２のシール部３２とオス側部材１５のテーパ部２９とが当接する位置（閉塞位置）にある場合、保持部３０がスカート部３３の内部に臨む長さに形成されている。すなわち、閉塞位置において、保持部３０とスカート部３３との係止状態が維持されるようになっている。そして、閉塞位置において、フィルタＦ２は、シール部３２がテーパ部２９に当接し、通液路３５を閉塞させるようになっている。
【００４０】
次に、以上のように構成した第２実施形態のろ過器具１１について、その作用を図８に基づき説明する。
図８（ａ）に示すように、通液路１５ａに異物を含んだ液体が流入されると、液体は、整流部２８の円柱部２８ａにより分散されるとともに支持部３０ｂの間を通過することで、通液路１５ａの内壁面に沿う流れに整流される（矢印Ｙ５に示す）。そして、液体は、通液路３５を通過してメス型接続部１４の内部（通液路１８ｂ）を通過し、注射筒内に吸入される（矢印Ｙ６に示す）。すなわち、この状態において、ろ過器具１１には、オス型接続部１３の先端開口部ＫからフィルタＦ２の周囲（通液路３５）を通過してメス型接続部１４の先端の開口まで連通する吸入通路が形成される。
【００４１】
次に、図８（ｂ）に示すように、注射筒に吸入した液体がメス型接続部１４の内部（通液路１８ｂ）に押し出されると、フィルタＦ２は、保持部３０の通液路３０ａから袋状部３１の内部に流入した液体、及び受圧面３３ａにより受けられる液体の液圧によって閉塞位置まで前進させられる。そして、フィルタＦ２は、シール部３２がテーパ部２９に当接して通液路３５を閉塞させる。この際、フィルタＦ２は、保持部３０によって許容位置から閉塞位置へ真っ直ぐ前進するようにガイドされる。この状態において、通液路１８ｂ内に流入した液体は、保持部３０の通液路３０ａを通過して袋状部３１の内部に流入するとともに、フィルタＦ２を通過する（矢印Ｙ７，Ｙ８に示す）。そして、フィルタＦ２を通過することで異物が除去された液体は、オス型接続部１３の先端開口部Ｋ（注射針先端）から吐出（流出）される（矢印Ｙ９に示す）。この状態において、ろ過器具１１には、メス型接続部１４の先端の開口部から保持部３０の通液路３０ａ及びフィルタＦ２を通過してオス型接続部１３の先端開口部Ｋまで連通する吐出通路が形成される。以上のように、本実施形態のフィルタＦ２は、許容位置から閉塞位置へ移動することで、吸入時と吐出時において、液体が通過される通路を吸入通路と吐出通路との間で切り替える切替手段としても機能するようになっている。
【００４２】
従って、第２実施形態によれば、以下の効果を得ることができる。
（１０）液体の吸入時において、液体は、中央に配置されたフィルタＦ２の周囲の通液路３５を通過する一方、液体の吐出時において、液体は、中央に配置された通液路３０ａ及びフィルタＦ２を通過するようになっている。このため、注射筒で液体を吐出する際の圧力損失を低減することができる。
【００４３】
（１１）フィルタＦ２は、許容位置から閉塞位置に移動して液体が通過する通路を切り替えるようにした。このため、ろ過器具１１を注射筒から取外さなくても、異物を含んだ液体をろ過しない状態で注射筒内に吸入させ、且つフィルタＦ２でろ過しながらオス型接続部１３の先端開口部Ｋ（注射針先端）から吐出させることができる。
【００４４】
（１２）液体の吐出時に液体の液圧を受ける受圧面３３ａを設けた。このため、吐出時において、フィルタＦ２は、注射筒から押し出される液体の液圧を受け、規制位置へ移動させられる。このため、収容空間２０を通過する液体の液圧によってフィルタＦ２が移動し、吸入時と吐出時において、液体が通過する通路が切り替えられる。したがって、液体の吸入時と吐出時において、使用者が通路を切り替えるために操作する操作機構を別途設ける必要がない。
【００４５】
（１３）フィルタＦ２を焼結体とするとともに、保持部３０でフィルタＦ２の前進動作をガイドするようにした。このため、閉塞位置において、フィルタＦ２が傾くことでテーパ部２９とシール部３２との間に隙間が生じ、シール性が低下することを抑制することができる。すなわち、注射筒内に吸入された異物を含む液体が、フィルタＦ２でろ過されないまま、オス型接続部１３の先端開口部Ｋ（注射針先端）から吐出されることを抑制できる。
【００４６】
（１４）フィルタＦ２は、袋状部３１を有する有底略円筒状に形成した。このため、フィルタＦ２のろ過面積を大きくすることができ、ろ過効率を向上させることができる。
（１５）スカート部３３の外径を通液路１８ｂの内径と略同一に形成するとともに、受圧面３３ａを設けた。このため、注射筒で押し出された液体の液圧が周囲に逃げ難くなり、確実にフィルタＦ２を閉塞位置へ前進させることができる。
【００４７】
（１６）通液路１５ａに整流部２８を設けた。このため、異物を含んだ液体を直接フィルタＦ２で受けてしまうことにより、フィルタＦ２が汚染されることを抑制できる。また、通液路１５ａの周囲に沿った流れに整流することで、許容位置にあるフィルタＦ２の側方（通液路３５）に液体を流れ易くすることができる。
（第３実施形態）
次に、本発明を具体化した第３実施形態について図９に基づき説明する。なお、第３実施形態のろ過器具１１は、以下に説明する部分を除いて第２実施形態と同一とされている。
【００４８】
保持部３０のオス型接続部１３側の開口部には、有底略円筒状に形成されたフィルタＦ３が固定されている。フィルタＦ３は、第２実施形態と同様に多孔質の焼結体とされている。フィルタＦ３のオス型接続部１３側の面には、略円盤状の切替弁部材３６が固定されている。切替弁部材３６は、弾性体（例えば、シリコンゴムやフッ素ゴム）からなる。切替弁部材３６は、該切替弁部材３６の周縁部が切替弁部材３６自身の持つ復元力（弾性）によりオス側部材１５のテーパ部２９に密着するように配設されている。また、切替弁部材３６の周縁部は、メス型接続部１４側に撓むことでテーパ部２９と離間し、フィルタＦ３の周囲にオス型接続部１３の通液路１５ａと、メス型接続部１４の通液路１８ｂとを連通する通液路３５を形成可能となっている。本実施形態では、テーパ部２９に密着する位置が閉塞位置であり、切替弁部材３６の周縁部がメス型接続部１４側に撓んで（移動して）通液路３５が形成される位置が許容位置となっている。また、切替弁部材３６の略中央には、切替弁部材３６の両面を連通するように一文字に切り込みを入れて形成した開閉弁３６ａが設けられている。開閉弁３６ａは、切替弁部材３６の自身が持つ復元力（弾性）により、閉鎖された状態となっている。
【００４９】
次に、以上のように構成した第３実施形態のろ過器具１１について、その作用を図９に基づき説明する。
図９（ａ）に示すように、通液路１５ａに異物を含んだ液体が流入されると、開閉弁３６ａが閉鎖されていることから通液路１５ａの内部圧力が高まり、切替弁部材３６の周縁部がメス型接続部１４側へ撓んで（移動して）テーパ部２９と切替弁部材３６との間に通液路３５が形成される。そして、液体は、通液路３５を通過して通液路１８ｂに抜け、注射筒に吸入される（矢印Ｙ１０に示す）。この状態において、ろ過器具１１には、オス型接続部１３の先端開口部Ｋから通液路３５を通過してメス型接続部１４の先端の開口部まで連通する吸入通路が形成される。
【００５０】
図９（ｂ）に示すように、注射筒に吸入した液体がメス型接続部１４の内部（通液路１８ｂ）に押し出されると、切替弁部材３６の周縁部は、切替弁部材３６自身が持つ復元力に加えて、注射筒から押し出される液体の液圧によって、テーパ部２９と密着する。この状態において、切替弁部材３６は、通液路３５を閉塞させた状態となる。その一方で、保持部３０の通液路３０ａを通過した液体は、フィルタＦ３を通過するとともに、開閉弁３６ａを押し広げつつオス型接続部１３の内部（通液路１５ａ）へ流入する（矢印Ｙ１１に示す）。この状態において、ろ過器具１１には、メス型接続部１４の先端の開口部から保持部３０の通液路３０ａ及びフィルタＦ３を通過してオス型接続部１３の先端開口部Ｋまで連通する吐出通路が形成される。以上のように、本実施形態の切替弁部材３６は、許容位置と閉塞位置の間で変形することで、吸入時と吐出時において、液体が通過される通路を吸入通路と吐出通路との間で切り替える切替手段として機能するようになっている。
【００５１】
従って、第３実施形態によれば、第２実施形態の効果（１０），（１６）に加えて以下の効果を得ることができる。
（１７）切替弁部材３６は、許容位置と閉塞位置との間で変形（移動）して液体が通過する通路を切り替えるようにした。このため、ろ過器具１１を注射筒から取外さなくても、異物を含んだ液体をろ過しない状態で注射筒内に吸入させ、且つフィルタＦ３でろ過しながらオス型接続部１３の先端開口部Ｋ（注射針先端）から吐出させることができる。
【００５２】
（１８）切替弁部材３６を弾性体とするとともに、閉塞位置において切替弁部材３６の周縁部とオス側部材１５のテーパ部２９とが密着するようにした。このため、液体の吐出時において、通液路３５を確実に閉塞させることができる。
（第４実施形態）
次に、本発明を具体化した第４実施形態について図１０に基づき説明する。なお、第４実施形態のろ過器具１１は、以下に説明する部分を除いて第２実施形態と同一とされている。
【００５３】
本実施形態では、保持部３０には通液路３０ａが形成されていない。また、収容空間２０には、円形フィルム状のフィルタＦ４が配設されている。フィルタＦ４のオス型接続部１３側の面には、切替弁部材３６が配設されている。また、フィルタＦ４のメス型接続部１４側の面には、弾性体（例えば、シリコンゴムや、フッ素ゴム）からなる角パッキン３７が配設されている。フィルタＦ４、切替弁部材３６、及び角パッキン３７の外径は、略同一とされている。また、角パッキン３７の内径は、保持部３０の直径より僅かに大きく設定されている。そして、本実施形態では、フィルタＦ４を、切替弁部材３６及び角パッキン３７で挟むことによりユニット３８が形成されており、該ユニット３８として収容空間２０の内部をオス型接続部１３側へ前進、及びメス型接続部１４側へ後進可能となっている。
【００５４】
次に、以上のように構成した第４実施形態のろ過器具１１について、その作用を図１０に基づき説明する。
図１０（ａ）に示すように、通液路１５ａに異物を含んだ液体が流入されると、ユニット３８は液体の液圧によりメス型接続部１４側へ移動されるとともに、保持部３０に接触した状態で支持される。そして、液体の液圧によりユニット３８の周縁部がメス型接続部１４側へ撓んで周囲に通液路３５が形成される（許容位置）。そして、液体は、通液路３５を通過して通液路１８ｂに抜け、注射筒に吸入される（矢印Ｙ１２に示す）。この状態において、ろ過器具１１には、オス型接続部１３の先端開口部Ｋから通液路３５を通過してメス型接続部１４の先端の開口部まで連通する吸入通路が形成される。
【００５５】
一方、図１０（ｂ）に示すように、注射筒に吸入した液体がメス型接続部１４の内部（通液路１８ｂ）に押し出されると、液体の液圧によりユニット３８はオス型接続部１３側へ移動されるとともに、ユニット３８（切替弁部材３６）の周縁部とオス側部材１５のテーパ部２９とが密着する（閉塞位置）。そして、閉塞位置において、ユニット３８（切替弁部材３６）は、通液路３５閉塞させた状態となる。そして、液体は、保持部３０の側方を通ってフィルタＦ４を通過するとともに、開閉弁３６ａを押し広げつつオス型接続部１３の内部（通液路１５ａ）へ流入する（矢印Ｙ１３に示す）。この状態において、ろ過器具１１には、メス型接続部１４の先端の開口部からフィルタＦ４を通過してオス型接続部１３の先端開口部Ｋまで連通する吐出通路が形成される。以上のように、本実施形態のユニット３８（切替弁部材３６）は、許容位置と閉塞位置の間で変形することで、吸入時と吐出時において、液体が通過される通路を吸入通路と吐出通路との間で切り替える切替手段として機能するようになっている。
【００５６】
従って、第４実施形態によれば、第３実施形態と同様の効果を得ることができる。
なお、上記実施形態は以下のように変更してもよい。
○  第１実施形態において、可動体２５の形状を異なる形状としてもよい。例えば、図１１に示すように、切替部２７を側面視十字状としてもよい。このように構成しても、液体の吸入時及び吐出時において、吸入通路と吐出通路との間で液体が通過される通路を切り替えることができる。
【００５７】
○  第１実施形態において、ろ過器具１１の使用前には、可動体２５が許容位置に保持されているように構成してもよい。このように構成しても、吐出時において規制位置へ摺動して、通液孔２１を閉塞させることができる。
【００５８】
○  第１実施形態において、フィルタＦ１は、複数のフィルタを積層して構成してもよい。また、焼結体により形成してもよい。
○  第１実施形態において、フィルタＦ１の中心に通液孔２１を設けなくてもよい。この場合、通液孔２１に対応する位置に、ストレート部１５ｂ、摺動リブ部１８ｃ、可動体２５を配設するようにする。このように構成しても、吸入時と吐出時において、液体が通過する通路を切り替えることができる。
【００５９】
○  第１実施形態において、円錐部２６ａは設けなくてもよい。
○  第３，第４実施形態において、開閉弁３６ａを設けないで液体を通過可能な通液孔としてもよい。一般に、フィルタを液体が通過するためには所定の圧力が必要なことから、このように構成しても、液体を吸入する場合において、通液路３５から液体を優先的にメス型接続部１４側へ通過させることができる。
【００６０】
○  第３，第４実施形態において、開閉弁３６ａは、十文字など異なる形状としてもよい。
○  第４実施形態において、角パッキン３７は設けなくてもよい。このように構成しても、液圧によりフィルタＦ４及び切替弁部材３６は一体となって収容空間２０を移動できる。
【００６１】
○  各実施形態において、各接続部１３，１４は、オス型とメス型を入れ替えたり、ろ過器具１１の両端ともオス型としたり、両端ともメス型としてもよい。また、オス型とした場合において、ロック機構を設けてもよい。
【００６２】
○  各実施形態において、オス型接続部１３とメス型接続部１４の中心線が一致するように形成することに限られず、両中心線が平行となるように形成したり、所定の角度で交差するように形成してもよい。
【００６３】
○  各実施形態において、オス型接続部１３及びメス型接続部１４は、フィルタに対して交差する方向に突出形成することに限られず、平行となるように形成してもよい。
○  各実施形態において、オス型接続部１３及びメス型接続部１４の数は複数であってもよい。
【００６４】
○  各実施形態において、本体部１２の形状は側面視円形に限られず、方形や楕円など、異なる形状としてもよい。
○  各実施形態において、オス型接続部１３及びメス型接続部１４は、所定の接続規格を満足した形状としなくてもよい。すなわち、規格形状の注射針や注射筒を接続できる形態に限らず、適宜変更してチューブや、液体を吸入する装置（器具）、液体搬送装置に装着できる形状としてもよい。
【００６５】
○  各実施形態において、オス型接続部１３に代えて注射針を直接設けてもよい。
○  各実施形態において、メス型接続部１４に代えて注射筒などの吸引器具を一体に設けてもよい。
【００６６】
○  各実施形態において、吸入通路又は吐出通路を構成する部品のうち一部の部品の中心を他の部品と同一直線上に配置しなくてもよい。具体的に説明すると、例えば、フィルタＦ１〜Ｆ４の中心は、オス型接続部１３及びメス型接続部１４の中心線上になくてもよい。
【００６７】
次に、上記実施形態及び別例から把握できる技術的思想を以下に追記する。
（イ）液体が吸入及び吐出される開口部を有するハウジング内部に、前記開口部から吸入された液体を前記開口部から吐出する際に異物を除去するフィルタを配置したろ過器具において、前記ハウジング内部には、前記液体の吸入時に前記液体が通過する吸入通路と、前記フィルタが配置され前記液体の吐出時に前記液体が前記フィルタによりろ過されながら通過する吐出通路と、前記吸入時と前記吐出時において前記液体が通過する通路を切り替える切替手段と、を備え、前記吸入通路及び前記吐出通路のうち何れか一方をハウジング中央に配置し、該中央に配置した通路の周囲に他方の通路を配置したろ過器具。
【００６８】
（ロ）液体が吸入及び吐出される開口部を有するハウジング内部に、前記開口部から吸入された液体を前記開口部から吐出する際に異物を除去するフィルタを配置したろ過器具において、前記フィルタは、前記ハウジング内部の前記開口部側と反対側とを区画するように配置されるとともに、前記液体の吸入時に前記液体が通過する通液孔が形成されており、前記器具は、前記液体の吸引時には、前記通液孔を開放して前記許容状態とする許容位置に位置し、前記液体の吐出時には、前記通液孔を閉塞する閉塞位置に移動可能な可動体を備えているろ過器具。
【００６９】
（ハ）液体が吸入及び吐出される開口部を有するハウジング内部に、前記開口部から吸入された液体を前記開口部から吐出する際に異物を除去するフィルタを配置したろ過器具において、前記フィルタは、前記液体の吸入時には、前記ハウジングの内壁面と離間して前記内壁面と前記フィルタの間に前記液体が通過する通液路を形成する許容位置に位置し、前記液体の吐出時には、前記内壁面と接触して前記通液路を閉塞する閉塞位置に移動可能に構成されているろ過器具。
【図面の簡単な説明】
【００７０】
【図１】（ａ）は、第１実施形態のろ過器具の部分断面図、（ｂ）は、同じく左側面図、（ｃ）は、同じく右側面図。
【図２】（ａ）は、図１（ａ）に示すＡ−Ａ線断面図、（ｂ）は、図１（ａ）のＢ−Ｂ線断面図。
【図３】（ａ）は、可動体の側面図、（ｂ）は、可動体の正面図、（ｃ）は、（ｂ）のＣ−Ｃ線断面図。
【図４】（ａ），（ｂ）は、第１実施形態のろ過器具の動作を説明するための拡大断面図。
【図５】（ａ）は、第２実施形態のろ過器具の断面図、（ｂ）は、同じく左側面図、（ｃ）は、同じく右側面図。
【図６】（ａ）は、保持部の拡大図、（ｂ）は、同じく拡大断面図。
【図７】（ａ）は、フィルタの正面図、（ｂ）は、（ａ）のＤ−Ｄ線断面図。
【図８】（ａ），（ｂ）は、第２実施形態のろ過器具の動作を説明するための拡大断面図。
【図９】（ａ），（ｂ）は、第３実施形態のろ過器具の拡大断面図。
【図１０】（ａ），（ｂ）は、第４実施形態のろ過器具の拡大断面図。
【図１１】（ａ）は、別例における可動体の側面図、（ｂ）は、同じく正面図。
【符号の説明】
【００７１】
１１…ろ過器具、１１ａ…ハウジング、１４…メス型接続部、２０…収容空間、２１…通液孔、２５…可動体、３５…通液路、Ｆ１〜Ｆ４…フィルタ、Ｋ…先端開口部。
【図１】
2009273515.tif 000003
【図２】
2009273515.tif 000004
【図３】
2009273515.tif 000005
【図４】
2009273515.tif 000006
【図５】
2009273515.tif 000007
【図６】
2009273515.tif 000008
【図７】
2009273515.tif 000009
【図８】
2009273515.tif 000010
【図９】
2009273515.tif 000011
【図１０】
2009273515.tif 000012
【図１１】
2009273515.tif 000013